(57)【要約】【課題】この発明は、ユーザが視聴した番組に対する鑑賞記録を作成することを支援し、ユーザにとっての鑑賞記録作成作業の利便性を向上させ得る放送受信装置及び放送受信方法を提供することを目的としている。【解決手段】視聴している放送番組のＥＰＧ情報をインターネット２８を介してＥＰＧサーバ２９から取得し、その放送番組の種類に対応した鑑賞記録フォーマットを作成する。そして、放送番組の視聴が終了された状態で、鑑賞記録フォーマットに基づいて質問形式の入力画面を表示させ、その入力画面の質問事項に対する回答に基づいて、鑑賞記録フォーマットに対応した形式の鑑賞記録を作成し表示する。【選択図】    図１
2005191645.tif 000002
【特許請求の範囲】
【請求項１】
放送信号を受信する受信手段と、
前記受信手段で受信した放送信号から特定の番組を復元する復元手段と、
前記復元手段により前記特定の番組を復元している状態で、該特定の番組に対する番組関連情報を情報ネットワークから取得する取得手段と、
前記取得手段で取得された番組関連情報に基づいて、前記特定の番組の種類に対応した鑑賞記録フォーマットを作成する作成手段と、
前記特定の番組に対する復元が終了された状態で、前記作成手段で作成された鑑賞記録フォーマットに基づいて、鑑賞記録に記述する項目を入力するための質問形式の入力画面を作成し表示する入力画面表示手段と、
前記入力画面表示手段で表示された入力画面の質問事項に対する回答に基づいて、前記作成手段で作成された鑑賞記録フォーマットに対応した形式の鑑賞記録を作成し表示する鑑賞記録表示手段とを具備したことを特徴とする放送受信装置。
【請求項２】
放送信号を受信する受信手段と、
前記受信手段で受信した放送信号から特定の番組を復元する復元手段と、
前記復元手段により前記特定の番組を復元している状態で、該特定の番組に対する番組関連情報を情報ネットワークから取得する取得手段と、
前記取得手段で取得された番組関連情報に基づいて、前記特定の番組の種類に対応した鑑賞記録フォーマットを作成する作成手段と、
前記特定の番組に対する復元が終了された状態で、前記作成手段で作成された鑑賞記録フォーマットに基づいて、鑑賞記録に記述する項目を入力するための質問形式の入力画面を作成し表示する入力画面表示手段と、
前記入力画面表示手段で表示された入力画面の質問事項に対する回答に基づいて、前記作成手段で作成された鑑賞記録フォーマットに対応した形式の鑑賞記録を作成し表示する鑑賞記録表示手段と、
前記鑑賞記録表示手段で作成された鑑賞記録の情報を記録媒体に記録する記録手段とを具備したことを特徴とする放送受信装置。
【請求項３】
放送信号を受信する受信手段と、
前記受信手段で受信した放送信号から特定の番組を復元する復元手段と、
前記復元手段により前記特定の番組を復元している状態で、該特定の番組に対する番組関連情報を情報ネットワークから取得する取得手段と、
前記取得手段で取得された番組関連情報に基づいて、前記特定の番組の種類に対応した鑑賞記録フォーマットを作成する作成手段と、
前記特定の番組に対する復元が終了された状態で、前記作成手段で作成された鑑賞記録フォーマットに基づいて、鑑賞記録に記述する項目を入力するための質問形式の入力画面を作成し表示する入力画面表示手段と、
前記入力画面表示手段で表示された入力画面の質問事項に対する回答に基づいて、前記作成手段で作成された鑑賞記録フォーマットに対応した形式の鑑賞記録を作成し表示する鑑賞記録表示手段と、
前記情報ネットワークを介して供給される取得要求に基づいて、前記鑑賞記録表示手段で作成された鑑賞記録の情報を前記情報ネットワークに送出する送出手段とを具備したことを特徴とする放送受信装置。
【請求項４】
前記作成手段は、前記情報ネットワークを介して鑑賞記録に記述する項目の追加が要求された場合、前記取得手段で取得された番組関連情報と、前記情報ネットワークを介して追加要求された項目情報とに基づいて、前記特定の番組の種類に対応した鑑賞記録フォーマットを作成することを特徴とする請求項１乃至３いずれかに記載の放送受信装置。
【請求項５】
前記入力画面表示手段は、前記情報ネットワークを介して追加要求された項目に対する質問形式の入力画面を表示させる際に、その項目に対する質問に回答するか否かを選択させる項目を表示させることを特徴とする請求項４記載の放送受信装置。
【請求項６】
前記入力画面表示手段は、前記鑑賞記録表示手段で作成された鑑賞記録の情報を前記情報ネットワークに送出することを許可するか否かを選択させる項目を表示させることを特徴とする請求項３乃至５いずれかに記載の放送受信装置。
【請求項７】
前記鑑賞記録表示手段で作成された各番組に対する鑑賞記録を、選定されたリスト選択項目に応じて検索し、リスト表示するリスト表示手段を具備したことを特徴とする請求項１乃至６いずれかに記載の放送受信装置。
【請求項８】
放送信号を受信する工程と、
受信した放送信号から特定の番組を復元する工程と、
前記特定の番組を復元している状態で、該特定の番組に対する番組関連情報を情報ネットワークから取得する工程と、
取得された番組関連情報に基づいて、前記特定の番組の種類に対応した鑑賞記録フォーマットを作成する工程と、
前記特定の番組に対する復元が終了された状態で、作成された鑑賞記録フォーマットに基づいて、鑑賞記録に記述する項目を入力するための質問形式の入力画面を作成し表示する工程と、
表示された入力画面の質問事項に対する回答に基づいて、作成された鑑賞記録フォーマットに対応した形式の鑑賞記録を作成し表示する工程とを具備したことを特徴とする放送受信方法。
【請求項９】
放送信号を受信する工程と、
受信した放送信号から特定の番組を復元する工程と、
前記特定の番組を復元している状態で、該特定の番組に対する番組関連情報を情報ネットワークから取得する工程と、
取得された番組関連情報に基づいて、前記特定の番組の種類に対応した鑑賞記録フォーマットを作成する工程と、
前記特定の番組に対する復元が終了された状態で、作成された鑑賞記録フォーマットに基づいて、鑑賞記録に記述する項目を入力するための質問形式の入力画面を作成し表示する工程と、
表示された入力画面の質問事項に対する回答に基づいて、作成された鑑賞記録フォーマットに対応した形式の鑑賞記録を作成し表示する工程と、
作成された鑑賞記録の情報を記録媒体に記録する工程とを具備したことを特徴とする放送受信方法。
【請求項１０】
放送信号を受信する工程と、
受信した放送信号から特定の番組を復元する工程と、
前記特定の番組を復元している状態で、該特定の番組に対する番組関連情報を情報ネットワークから取得する工程と、
取得された番組関連情報に基づいて、前記特定の番組の種類に対応した鑑賞記録フォーマットを作成する工程と、
前記特定の番組に対する復元が終了された状態で、作成された鑑賞記録フォーマットに基づいて、鑑賞記録に記述する項目を入力するための質問形式の入力画面を作成し表示する工程と、
表示された入力画面の質問事項に対する回答に基づいて、作成された鑑賞記録フォーマットに対応した形式の鑑賞記録を作成し表示する工程と、
前記情報ネットワークを介して供給される取得要求に基づいて、作成された鑑賞記録の情報を前記情報ネットワークに送出する工程とを具備したことを特徴とする放送受信方法。
【発明の詳細な説明】
【技術分野】
【０００１】
この発明は、例えばデジタルテレビジョン放送等を受信する放送受信装置及び放送受信方法に係り、特にユーザが視聴した番組の鑑賞記録を作成する作業を支援する機能を備えたものに関する。
【背景技術】
【０００２】
周知のように、近年では、テレビジョン放送のデジタル化が推進されている。そして、日本国内においては、ＢＳ（Broadcasting Satellite）デジタル放送及び１１０度ＣＳ（Communication Satellite）デジタル放送等の衛星デジタル放送だけでなく、地上デジタル放送も開始される運びとなっている。
【０００３】
ところで、このようなデジタルテレビジョン放送では、多チャンネル化により、ユーザ（視聴者）が視聴可能な番組の数は膨大なものとなっている。このため、デジタルテレビジョン放送では、放送番組関連情報であるＥＰＧ（Electronic Program Guide）情報を定期的に配信し、テレビジョン放送受信装置が、受信したＥＰＧ情報に基づいて電子番組表を作成するシステムが普及している。
【０００４】
また、現在では、テレビジョン放送受信装置をインターネット等の情報ネットワークに接続することにより、テレビジョン放送受信装置が専用のサーバからＥＰＧ情報を取得可能とするシステムも開発されている。
【０００５】
一方、このように膨大な番組の中から所望の番組を選択して視聴するユーザの志向として、視聴した番組について鑑賞記録を作成し保存しておくことにより、番組鑑賞の楽しみを広げる方法が考えられる。例えば、放送番組が映画である場合、その映画の作品情報とともにユーザの感想等も加えた鑑賞記録を作成し保存しておくことで、より番組視聴の楽しみを増すことができる。
【０００６】
ところが、現在においては、番組を視聴するためのテレビジョン放送受信装置と、視聴した番組の鑑賞記録を作成し保存するための機器との間に、連係した機能を持たせるようなシステムは開発されていないのが現状である。
【０００７】
このため、ユーザは、視聴した番組の鑑賞記録を残そうとした場合、テレビジョン放送受信装置により番組を視聴した後、自発的にその番組に関連する情報を各種メディアから収集し、ノートやワードプロセッサアプリケーション等を利用して作成し記録することを余儀なくされている。
【０００８】
すなわち、現状では、テレビジョン放送受信装置とは全く独立したシステムを用いて、視聴した番組に対する鑑賞記録の作成及び保存を行なわなければならず、ユーザにとって煩雑なものとなっている。
【０００９】
また、ユーザが作成した鑑賞記録は、ノート等に記述している場合は言うに及ばず、ワードプロセッサアプリケーションで電子化されたファイルであっても、主に個人的なコレクションとして保存されるだけであり、例えば、放送番組の制作者側が収集して番組作成の参考とする等の、２次利用には全く使用されていないものである。
【００１０】
以上のように、現状では、番組を視聴するためのテレビジョン放送受信装置と、視聴した番組の鑑賞記録を作成し保存するための機器との間に、連係した機能を持たせるシステムが構築されていない。
【００１１】
このため、ユーザは、視聴した番組の鑑賞記録を作成し保存する場合、番組を視聴した後に、テレビジョン放送受信装置とは全く独立したシステムを用いて、視聴した番組に対する鑑賞記録の作成及び保存を行なわなければならない。これにより、次のような問題が生じる。
【００１２】
１．ユーザは、鑑賞記録に記述すべき番組情報を、自ら収集する必要がある。
【００１３】
２．ユーザは、番組の視聴終了後、自発的に鑑賞記録を作成する行動を起こす必要があるため、失念し易く鑑賞記録の作成率が低下する要因となる。
【００１４】
３．作成し保存した鑑賞記録は、通信手段との連係がないため、ユーザ個人の収集目的以外に２次利用することが困難である。
【００１５】
４．作成し保存した鑑賞記録は、そのフォーマットや記述される項目がユーザによって不統一であるため、ユーザ個人の収集目的以外に２次利用することが困難である。
【００１６】
特許文献１には、双方向データサービスを利用した放送において、放送前に放送局側で放送データを作成、または、テスト再生する場合、視聴者からの応答が正常に番組に反映されるかどうかの確認を行なう放送データ作成装置が開示されている。
【００１７】
しかしながら、この特許文献１には、ユーザが視聴した番組に対する鑑賞記録を作成し保存する場合における、上述した各問題点に対処することについては、何らの記載もなされていないものである。
【特許文献１】特開２００１−２３７７８７号公報
【発明の開示】
【発明が解決しようとする課題】
【００１８】
そこで、この発明は上記事情を考慮してなされたもので、ユーザが視聴した番組に対する鑑賞記録を作成することを支援し、ユーザにとっての鑑賞記録作成作業の利便性を向上させ得る放送受信装置及び放送受信方法を提供することを目的とする。
【課題を解決するための手段】
【００１９】
この発明に係る放送受信装置は、放送信号を受信する受信手段と、受信手段で受信した放送信号から特定の番組を復元する復元手段と、復元手段により特定の番組を復元している状態で、該特定の番組に対する番組関連情報を情報ネットワークから取得する取得手段と、取得手段で取得された番組関連情報に基づいて、特定の番組の種類に対応した鑑賞記録フォーマットを作成する作成手段と、特定の番組に対する復元が終了された状態で、作成手段で作成された鑑賞記録フォーマットに基づいて、鑑賞記録に記述する項目を入力するための質問形式の入力画面を作成し表示する入力画面表示手段と、入力画面表示手段で表示された入力画面の質問事項に対する回答に基づいて、作成手段で作成された鑑賞記録フォーマットに対応した形式の鑑賞記録を作成し表示する鑑賞記録表示手段とを備えるようにしたものである。
【００２０】
また、この発明に係る放送受信方法は、放送信号を受信する工程と、受信した放送信号から特定の番組を復元する工程と、特定の番組を復元している状態で、該特定の番組に対する番組関連情報を情報ネットワークから取得する工程と、取得された番組関連情報に基づいて、特定の番組の種類に対応した鑑賞記録フォーマットを作成する工程と、特定の番組に対する復元が終了された状態で、作成された鑑賞記録フォーマットに基づいて、鑑賞記録に記述する項目を入力するための質問形式の入力画面を作成し表示する工程と、表示された入力画面の質問事項に対する回答に基づいて、作成された鑑賞記録フォーマットに対応した形式の鑑賞記録を作成し表示する工程とを備えるようにしたものである。
【発明の効果】
【００２１】
上記した発明によれば、受信した放送信号から特定の番組を復元している状態で、その番組に対する番組関連情報を情報ネットワークから取得し、取得された番組関連情報に基づいて特定の番組の種類に対応した鑑賞記録フォーマットを作成する。そして、特定の番組に対する復元が終了された状態で、作成された鑑賞記録フォーマットに基づいて質問形式の入力画面を表示し、その入力画面の質問事項に対する回答に基づいて鑑賞記録フォーマットに対応した形式の鑑賞記録を表示させるようにしている。このため、ユーザが視聴した番組に対する鑑賞記録を作成することを支援し、ユーザにとっての鑑賞記録作成作業の利便性を向上させることが可能となる。
【発明を実施するための最良の形態】
【００２２】
以下、この発明の実施の形態について図面を参照して詳細に説明する。図１は、この実施の形態で説明するデジタルテレビジョン放送受信機１１を示している。すなわち、アンテナ１２で受信されたデジタルテレビジョン放送信号は、チューナ部１３に供給されて所望のチャンネルの放送信号が選局される。
【００２３】
このチューナ部１３で選局された放送信号は、デコーダ部１４に供給されてデジタルの映像信号に復元される。そして、このデコーダ部１４から出力された映像信号は、ＯＳＤ（On Screen Display）部１５に供給されてＯＳＤ用の映像信号が付加された後、映像信号生成部１６に出力される。
【００２４】
この映像信号生成部１６は、入力された映像信号をＣＲＴ（Cathode Ray Tube）等の映像表示部１７で表示可能なフォーマットのアナログ映像信号に変換し、映像表示部１７に出力して映像表示させる。
【００２５】
ここで、このデジタルテレビジョン放送受信機１１は、上記した放送受信動作を含むその全ての動作を制御部１８によって統括的に制御されている。この制御部１８は、ＣＰＵ（Central Processing Unit）等を内蔵しており、リモートコントローラ１９から送出された操作情報を受信部２０を介して受信し、その操作内容が反映されるように各部をそれぞれ制御している。
【００２６】
この場合、制御部１８は、メモリ部２１を利用している。すなわち、このメモリ部２１は、主として、制御部１８のＣＰＵが実行する制御プログラムを格納した読み出し専用メモリと、該ＣＰＵに作業エリアを提供する読み出し書き込みメモリと、各種の設定情報、制御情報、電子番組表、鑑賞記録を作成するためのフォーマット及び作成された鑑賞記録等が格納される不揮発性メモリとを含んでいる。
【００２７】
また、上記デコーダ部１４は、定期的にデジタル放送されるＥＰＧ情報を分離する。このＥＰＧ情報は、ＥＰＧデコーダ部２２に供給されて復元される。そして、上記制御部１８は、ＥＰＧデコーダ部２２で復元されたＥＰＧ情報を用いて電子番組表を作成し、メモリ部２１の不揮発性メモリに記録させている。
【００２８】
さらに、このデジタルテレビジョン放送受信機１１は、例えばメモリカード等のリムーバブル記録メディア２３を装着して、データの書き込み及び読み出しを行なう記録再生部２４を備えている。そして、上記制御部１８は、作成された鑑賞記録を、記録再生部２４を介してリムーバブル記録メディア２３に格納させるように制御可能である。
【００２９】
また、上記制御部１８は、通信制御部２５からＬＡＮ（Local Area Network）を介して外部のルータ２６とデータ通信可能に接続されている。このルータ２６には、ＰＣ（Personal Computer）２７が接続可能であり、リモートコントローラ１９に代えてＰＣ２７によって制御部１８に操作情報を供給することも可能である。
【００３０】
そして、このルータ２６は、電話回線によるインターネット２８を介して、ＥＰＧサーバ２９及びコンテンツ制作者サーバ３０等とデータ通信可能に接続されている。これにより、上記制御部１８は、通信制御部２５、ルータ２６及びインターネット２８を介して、ＥＰＧサーバ２９及びコンテンツ制作者サーバ３０とデータ通信可能になっている。
【００３１】
このうち、ＥＰＧサーバ２９は、ＥＰＧ情報を格納したＥＰＧデータベース３１にアクセスし、特定の放送番組に対するＥＰＧ情報を取り出すことができる。このＥＰＧデータベース３１には、全ての放送番組に対するＥＰＧ情報が常に最新の内容に更新された状態で格納されている。
【００３２】
また、上記コンテンツ制作者サーバ３０は、コンテンツ制作者データベース３２にアクセスして、例えば、放送番組の制作者が自己の制作した番組に対してユーザに質問する内容等を取り出すことができる。さらに、コンテンツ制作者サーバ３０は、ユーザからの回答をコンテンツ制作者データベース３２に蓄積することができる。
【００３３】
図２は、上記リモートコントローラ１９の外観を示している。このリモートコントローラ１９には、主として、電源キー３３、ワンタッチ選局キー群３４、モード切替キー群３５、チャンネルアップダウンキー３６、音量調整キー３７、移動キー３８、決定キー３９、メニューキー４０及び戻るキー４１等が設置されている。
【００３４】
このうち、ワンタッチ選局キー群３４は、「１」〜「１２」の番号が付された１２個のワンタッチ選局キーで構成されており、任意の番号が付されたワンタッチ選局キーを操作することにより、予め登録されたチャンネルをワンタッチ選局することができる。また、このワンタッチ選局キー群３４は、文字入力用のキーとしても機能している。
【００３５】
図３及び図４は、上記デジタルテレビジョン放送受信機１１の主要な動作をまとめたフローチャートを示している。まず、開始（ステップＳ１）されると、制御部１８は、ステップＳ２で、ユーザがリモートコントローラ１９を操作して設定したチャンネルをチューナ部１３に選局させ、番組の視聴が実行される。
【００３６】
この番組の視聴中に、制御部１８は、ステップＳ３で、ＥＰＧサーバ２９にアクセスして、現在視聴している番組に関連するＥＰＧ情報を取得する。取得されたＥＰＧ情報は、ＥＰＧデコーダ部２２でデコード処理された後、メモリ部２１の不揮発性メモリに記録される。
【００３７】
また、上記制御部１８は、コンテンツ制作者サーバ３０にもアクセスして、現在視聴している番組に対するコンテンツ制作者からユーザへの質問等の情報があれば、それを取得し、メモリ部２１の不揮発性メモリに記録する。
【００３８】
その後、制御部１８は、ステップＳ４で、取得したＥＰＧ情報と、コンテンツ制作者からの情報とに基づいて、鑑賞記録フォーマットを作成する。この場合、鑑賞記録に記述する項目は、統一性を確保するために、番組の種類（ジャンル）毎に予め基本の項目が用意されている。なお、コンテンツ作成者からの質問情報がある場合には、その質問項目が、基本の項目に付加されていくことになる。
【００３９】
そして、制御部１８は、ステップＳ５で、視聴している番組の放送が終了するか、または、ユーザによりその番組の視聴が中断されることにより、番組の視聴が終了したか否かを判別する。
【００４０】
そして、番組の視聴が終了したと判断された場合（ＹＥＳ）、制御部１８は、ステップＳ６で、ステップＳ４で作成したフォーマットに基づいて、鑑賞記録に記述する項目をユーザに入力させるための質問形式の入力画面を映像表示部１７に表示させる。
【００４１】
図５は、視聴していた番組が映画であった場合における、基本の質問項目に対する入力画面の一例を示している。すなわち、この入力画面では、ステップＳ３で取得したＥＰＧ情報に基づいて、番組のタイトル名、鑑賞日時、場所、状況等を表示した上で、基本の質問項目１として、脚本の印象の良否を５段階でユーザに評価させている。
【００４２】
この場合、ユーザは、リモートコントローラ１９のワンタッチ選局キー群３４のうち、「１」〜「５」の番号が付されたワンタッチ選局キーを選択的に操作して、脚本の印象の良否を評価した後、決定キー３９を操作することで決定する。
【００４３】
すると、制御部１８は、次の基本の質問項目に対する入力画面を表示させる。番組が映画の場合には、基本の質問項目として、演出、撮影、美術、音楽、演技等の各項目について、それぞれ５段階でユーザに評価させる入力画面が表示される。
【００４４】
コンテンツ制作者からユーザへの質問がある場合には、制御部１８は、番組の種類毎に予め設定されている基本の質問項目への回答が終了した後、コンテンツ制作者からの質問に対する入力画面を表示させる。
【００４５】
図６は、コンテンツ制作者からの質問に対する入力画面の一例を示している。この入力画面には、番組のタイトル名、鑑賞日時、場所、状況及び質問内容の他に、どこのコンテンツ制作者からの質問であるかを示すコンテンツ制作者名、この質問に回答するか否かをユーザに選択させるための選択項目が表示される。
【００４６】
質問内容に対しては、複数の選択肢の中から、ユーザがリモートコントローラ１９のワンタッチ選局キー群３４を操作して所望の選択肢を選択し決定キー３９で決定することにより、質問に対して回答できる形式が望ましい。
【００４７】
また、選択項目では、ユーザがリモートコントローラ１９の移動キー３８を操作して、「回答する」、「回答しない」のいずれかの項目にカーソルｋを移動させ、決定キー３９で決定することにより、質問に対して回答するか否かを選定できるようにしている。
【００４８】
次に、制御部１８は、ステップＳ７で、基本の質問項目及びコンテンツ作成者の質問に対する回答が全て完了したか否かを判別し、完了したと判断された場合（ＹＥＳ）、ステップＳ８で、入力画面で得られた回答に基づいて鑑賞記録を作成し、映像表示部１７に表示させる。
【００４９】
図７は、映像表示部１７に表示された鑑賞記録の一例を示している。すなわち、この鑑賞記録には、番組のタイトル名、鑑賞日時、場所、状況等の他に、静止画、タイトル情報、タイトルソースの情報、レビュー及び自由記入欄が表示されている。
【００５０】
静止画は、ユーザが番組の視聴中に選択した特定の静止画面を表示させる領域である。タイトル情報及びタイトルソースの情報は、ＥＰＧ情報から取得できるものは自動的に入力表示され、それ以外のものはユーザがリモートコントローラ１９のワンタッチ選局キー群３４による文字入力機能を用いて入力する。
【００５１】
レビューは、基本の質問項目で評価した脚本、演出、撮影、美術、音楽、演技等の各評価結果を、グラフィカルに表示したものである。自由記入欄には、ユーザがリモートコントローラ１９のワンタッチ選局キー群３４による文字入力機能を用いて、番組に対する感想等を記述することができる。
【００５２】
なお、この鑑賞記録の中には、コンテンツ制作者からの質問事項に対する回答を反映させた表示も行なわれる。すなわち、鑑賞記録の表示形態は、番組の種類、コンテンツ制作者からの質問の量や内容によって、適宜設定される。
【００５３】
このようにして、鑑賞記録が作成されると、制御部１８は、ステップＳ９で、鑑賞記録をメモリ部２１の不揮発性メモリや、記録再生部２４に装着されたリムーバブル記録メディア２３に記録する。鑑賞記録をいずれの記録媒体に記録するかは、ユーザがリモートコントローラ１９を操作して選定することができる。
【００５４】
その後、制御部１８は、ステップＳ１０で、作成した鑑賞記録をコンテンツ制作者サーバ３０にアップロードすることを許可するか否かをユーザに質問する入力画面を、映像表示部１７に表示させる。
【００５５】
図８は、作成した鑑賞記録をコンテンツ制作者サーバ３０にアップロードすることを許可するか否かをユーザに質問する入力画面の一例を示している。すなわち、この入力画面には、番組のタイトル名、作成された鑑賞記録の他に、作成した鑑賞記録をコンテンツ制作者サーバ３０にアップロードすることを許可するか否かをユーザに選択させるための選択項目が表示されている。
【００５６】
この選択項目では、ユーザがリモートコントローラ１９の移動キー３８を操作して、「許可する」、「許可しない」のいずれかの項目にカーソルｋを移動させ、決定キー３９で決定することによって、鑑賞記録のアップロードを許可するか否かを選定できるようにしている。
【００５７】
そして、ステップＳ１０で鑑賞記録のアップロードを許可するが選択された場合（ＹＥＳ）、制御部１８は、ステップＳ１１で、鑑賞記録を要求先のコンテンツ制作者サーバ３０に送出し、処理を終了（ステップＳ１２）する。また、ステップＳ１０で鑑賞記録のアップロードを許可しないが選択された場合（ＮＯ）、制御部１８は、そのまま、処理を終了（ステップＳ１２）する。
【００５８】
上記した実施の形態によれば、ユーザが特定の番組を視聴中に、その番組に対するＥＰＧ情報を取得して鑑賞記録に記述するようにしたので、ユーザが視聴した番組に関する情報を自ら収集する必要がなくなり、ユーザの鑑賞記録作成作業の利便性を高めることができる。
【００５９】
また、番組の視聴が終了した時点で、鑑賞記録に記述する項目をユーザに入力させるための質問形式の入力画面を表示させるようにしたので、ユーザが番組視聴後に鑑賞記録の作成を失念することが少なくなり、鑑賞記録の作成率が低下することを防止することができる。
【００６０】
さらに、質問形式の入力画面では、質問に対する回答を複数の選択肢の中から所定の選択肢を選定させるようにしているので、ユーザにとって回答の入力が簡便になり、このような点でも、鑑賞記録の作成率が低下することを防止することができる。
【００６１】
また、番組の種類毎に基本となる鑑賞記録フォーマットを予め設定しておくようにしたので、同じ種類の番組に対して統一的な鑑賞記録を作成することができ、２次利用に非常に効果的となる。
【００６２】
さらに、インターネット２８を介して、コンテンツ制作者からの質問も取得し、その質問に対する回答も鑑賞記録に含めてコンテンツ制作者に送信できるようにしたので、このような点でも、鑑賞記録の積極的な２次利用を図ることが可能である。
【００６３】
この場合、鑑賞記録の２次利用者としては、コンテンツ制作者に限らず、インターネット２８に接続可能であれば、いかなる個人・団体でも良い。また、電子化された鑑賞記録を提供することで、ユーザが対価を得られるシステムや、多数のユーザの鑑賞記録をネット上で公開したり、統計情報を提供したりするサービスや、収集した鑑賞記録を解析して各ユーザ毎にお勧め番組等の情報を提供するサービスを構築することも可能となる。
【００６４】
なお、上記した実施の形態では、鑑賞記録に文字等を記述する場合に、リモートコントローラ１９のワンタッチ選局キー群３４による文字入力機能を用いるようにしたが、この文字入力については、例えばＰＣ２７によってキーボード入力することも可能である。
【００６５】
また、文字入力については、図９に示すように、リモートコントローラ１９にマイクロホン４２を設置し、ユーザが音声入力した情報を制御部１８で受け、制御部１８がその音声情報をテキスト変換して鑑賞記録に記述することも考えられる。
【００６６】
次に、上記メモリ部２１の不揮発性メモリやリムーバブル記録メディア２３等に記録された鑑賞記録を、リスト表示することについて説明する。この鑑賞記録のリスト表示は、ユーザがリモートコントローラ１９のメニューキー４０を操作し、映像表示部１７に表示されたメニューから鑑賞記録リスト表示の項目を選定することにより行なわれる。
【００６７】
すなわち、鑑賞記録リスト表示の項目が選定されると、制御部１８は、図１０に示すように、映像表示部１７に表示形式選択画面を表示させる。この表示形式選択画面では、ジャンル別、日付別、記録項目別等のリスト選択項目が表示されており、ユーザがリモートコントローラ１９の移動キー３８を操作して、いずれかの項目にカーソルｋを移動させ、決定キー３９で決定することによって、所望の項目を選定することができる。
【００６８】
この表示形式選択画面でジャンル別の項目が選択された場合、制御部１８は、図１１に示すように、映像表示部１７にジャンル選択画面を表示させる。このジャンル選択画面では、映画、ドラマ、スポーツ等の項目が表示されており、ユーザがリモートコントローラ１９の移動キー３８を操作して、いずれかの項目にカーソルｋを移動させ、決定キー３９で決定することによって、所望の項目を選定することができる。
【００６９】
そして、このジャンル選択画面で映画の項目が選択された場合、制御部１８は、図１２に示すように、映画に関してメモリ部２１の不揮発性メモリやリムーバブル記録メディア２３等に記録された鑑賞記録を読み出し、例えばそのタイトル名をリスト表示する。
【００７０】
この場合、表示されたリストにおいて、ユーザは、リモートコントローラ１９の移動キー３８を操作して、いずれかのタイトル名にカーソルｋを移動させ、決定キー３９で決定することによって、所望のタイトル名を選定することができる。そして、選定されたタイトル名に対応する鑑賞記録が、図７に示したように表示される。
【００７１】
また、表示形式選択画面で日付別の項目が選択された場合、制御部１８は、図１３に示すように、映像表示部１７に日付選択画面を表示させる。この日付選択画面では、最近一週間、最近一ヶ月等の項目が表示されており、ユーザがリモートコントローラ１９の移動キー３８を操作して、いずれかの項目にカーソルｋを移動させ、決定キー３９で決定することによって、所望の項目を選定することができる。そして、例えば、最近一週間の項目が選定された場合、制御部１８は、最近一週間に作成された鑑賞記録を全てリスト表示する。
【００７２】
さらに、表示形式選択画面で記録項目別の項目が選択された場合、制御部１８は、図１４に示すように、映像表示部１７に記録項目選択画面を表示させる。この記録項目選択画面では、例えばジャンル選択画面で映画が選択されていれば、脚本の評価順、演出の評価順等の記録項目が表示され、ユーザがリモートコントローラ１９の移動キー３８を操作して、いずれかの項目にカーソルｋを移動させ、決定キー３９で決定することによって、所望の項目を選定することができる。そして、いずれかの記録項目が選定されると、制御部１８は、その記録項目に対応した鑑賞記録を全てリスト表示する。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００７４】
【図１】この発明の実施の形態を示すもので、デジタルテレビジョン放送受信機を説明するために示すブロック構成図。
【図２】同実施の形態におけるデジタルテレビジョン放送受信機のリモートコントローラを説明するために示す外観図。
【図３】同実施の形態におけるデジタルテレビジョン放送受信機の主要な動作の一部を説明するために示すフローチャート。
【図４】同実施の形態におけるデジタルテレビジョン放送受信機の主要な動作の残部を説明するために示すフローチャート。
【図５】同実施の形態における基本の質問項目に対する入力画面の一例を説明するために示す図。
【図６】同実施の形態におけるコンテンツ制作者からの質問項目に対する入力画面の一例を説明するために示す図。
【図７】同実施の形態における作成された鑑賞記録の表示画面の一例を説明するために示す図。
【図８】同実施の形態における鑑賞記録のアップロードを許可するか否かを選択する入力画面の一例を説明するために示す図。
【図９】同実施の形態におけるリモートコントローラの変形例を説明するために示す外観図。
【図１０】同実施の形態における鑑賞記録をリスト表示するための表示形式選択画面の一例を説明するために示す図。
【図１１】同実施の形態における表示形式選択画面でジャンル別が選択された場合のジャンル選択画面の一例を説明するために示す図。
【図１２】同実施の形態におけるジャンル選択画面で映画が選択された場合の鑑賞記録リスト表示画面の一例を説明するために示す図。
【図１３】同実施の形態における表示形式選択画面で日付別が選択された場合の日付選択画面の一例を説明するために示す図。
【図１４】同実施の形態における表示形式選択画面で記録項目別が選択された場合の記録項目選択画面の一例を説明するために示す図。
【符号の説明】
【００７５】
１１…デジタルテレビジョン放送受信機、１２…アンテナ、１３…チューナ部、１４…デコーダ部、１５…ＯＳＤ部、１６…映像信号生成部、１７…映像表示部、１８…制御部、１９…リモートコントローラ、２０…受信部、２１…メモリ部、２２…ＥＰＧデコーダ部、２３…リムーバブル記録メディア、２４…記録再生部、２５…通信制御部、２６…ルータ、２７…ＰＣ、２８…インターネット、２９…ＥＰＧサーバ、３０…コンテンツ制作者サーバ、３１…ＥＰＧデータベース、３２…コンテンツ制作者データベース、３３…電源キー、３４…ワンタッチ選局キー群、３５…モード切替キー群、３６…チャンネルアップダウンキー、３７…音量調整キー、３８…移動キー、３９…決定キー、４０…メニューキー、４１…戻るキー、４２…マイクロホン。
【図１】
2005191645.tif 000003
【図２】
2005191645.tif 000004
【図３】
2005191645.tif 000005
【図４】
2005191645.tif 000006
【図５】
2005191645.tif 000007
【図６】
2005191645.tif 000008
【図７】
2005191645.tif 000009
【図８】
2005191645.tif 000010
【図９】
2005191645.tif 000011
【図１０】
2005191645.tif 000012
【図１１】
2005191645.tif 000013
【図１２】
2005191645.tif 000014
【図１３】
2005191645.tif 000015
【図１４】
2005191645.tif 000016